(57)【要約】      （修正有）【課題】操作が簡単で且つ速くて、メンテナンスを容易にさせる空調システムファジィ制御器を提供する。【解決手段】空調システムファジィ制御器は、組立箱１を含み、組立箱１の頂部にカバー板２が固定的に接続され、カバー板２の頂部にヒートシンク３が固定的に接続され、ヒートシンク３の頂部に放熱口４が開設され、ヒートシンク３の頂部に防塵網５が固定的に接続され、組立箱１の正面の一方側に表示板６が固定的に接続され、表示板６の正面の下側に指示灯７が固定的に接続され、表示板６の正面の上側に表示パネル８が固定的に接続され、組立箱１の内部にファジィ制御器本体１１が取り付けられる。【選択図】図１
0003218321.tif 000002
【実用新案登録請求の範囲】
【請求項１】
組立箱を含み、前記組立箱の頂部にカバー板が固定的に接続され、前記カバー板の頂部にヒートシンクが固定的に接続され、前記ヒートシンクの頂部に放熱口が開設され、前記ヒートシンクの頂部に防塵網が固定的に接続され、前記組立箱の正面の一方側に表示板が固定的に接続され、前記表示板の正面の下側に指示灯が固定的に接続され、前記表示板の正面の上側に表示パネルが固定的に接続され、前記組立箱の内部にファジィ制御器本体が取り付けられ、前記組立箱の正面の他方側にヒンジによりドアが枢動的に接続され、前記組立箱の底部が台座に嵌入され、前記台座の頂部の両側にそれぞれストッパが固定的に接続され、かつ前記ストッパの一方側が前記組立箱の一方側に可動的に接続され、前記組立箱の一方側にラインチューブが固定的に接続され、前記ラインチューブの一端がストッパの一方側から挿入して、前記台座の底部に底板が固定的に接続されることを特徴とする空調システムファジィ制御器。
【請求項２】
前記ファジィ制御器本体が前記表示パネルと前記指示灯にそれぞれ電気接続され、かつ前記表示パネルと前記指示灯とが互いに電気接続されていることを特徴とする請求項１に記載の空調システムファジィ制御器。
【請求項３】
ドアの正面に開口が開設され、かつ前記開口の中に強化ガラスが固定的に接続されていることを特徴とする請求項１に記載の空調システムファジィ制御器。
【考案の詳細な説明】
【技術分野】
【０００１】
本実用新案は、空調部品技術に関し、特に空調システムファジィ制御器に関する。
【背景技術】
【０００２】
空調システム、特に中央空調システムは、冷熱源システムと空気調節システムによって構成され、1台の主機が風道や冷熱水管を介して複数個の端末に接続されるようにして別々の部屋を制御して室内の空気調節の目的を達成するもので、セントラル空調の組立てにはファジィ制御器を必要としている。
【０００３】
ファジィ制御とは、ファジィ数学言語で表された制御ルール（制御規則）によってシステムの動作を制御する制御方式である。ファジィ制御ルールに従って構成される制御装置をファジィ制御器と呼ぶ。
【０００４】
ところが、従来のファジィ制御器は、組立てられた後、取外しが面倒で、メンテナンスが不便になり、大範囲での作業が必要で、手間がかかる。このため、以下のような空調システムファジィ制御器を提供する。
【考案の概要】
【考案が解決しようとする課題】
【０００５】
本実用新案の目的は、上記の課題を解決するために、空調システムファジィ制御器を提供することにある。
【課題を解決するための手段】
【０００６】
上記の目的を実現するために、本実用新案の技術方案は、以下の通りである。
空調システムファジィ制御器は、組立箱を含み、前記組立箱の頂部にカバー板が固定的に接続され、前記カバー板の頂部にヒートシンクが固定的に接続され、前記ヒートシンクの頂部に放熱口が開設され、前記ヒートシンクの頂部に防塵網が固定的に接続され、前記組立箱の正面の一方側に表示板が固定的に接続され、前記表示板の正面の下側に指示灯が固定的に接続され、前記表示板の正面の上側に表示パネルが固定的に接続され、前記組立箱の内部にファジィ制御器本体が取り付けられ、前記組立箱の正面の他方側にヒンジによりドアが枢動的に接続され、前記組立箱の底部が台座に嵌入され、前記台座の頂部の両側にそれぞれストッパが固定的に接続され、かつ前記ストッパの内側が前記組立箱の外側に動き可能に接続され、前記組立箱の一方側にラインチューブが固定的に接続され、前記ラインチューブの一端がストッパの外側から挿入して、前記台座の底部に底板16が固定的に接続される。
【考案の効果】
【０００７】
従来の技術と比較すると、本実用新案が提供する空調システムファジィ制御器は、以下の有益な効果がある。
【０００８】
（１）当該新型中央空調システムファジィ制御器において、組立箱の底部が台座に嵌入されることによって、組立箱の固定を容易に行える。ヒンジにより組立箱の正面に枢動的に接続されたドア、およびドアの正面に取り付けられた取っ手によって、ドアを開いてドアの裏のファジィ制御器本体の検測やメンテナンスを行うようになって、操作が簡単で且つ速くて、メンテナンスを容易にさせる目的を達成する。
【０００９】
（２）当該新型中央空調システムファジィ制御器において、前記カバー板の頂部の前記ヒートシンクによって、前記放熱口を介して前記ファジィ制御器本体を容易に放熱させることが可能であるとともに、前記防塵網により埃の前記組立箱内への侵入を抑制することができる。前記ファジィ制御器本体が前記表示パネルと前記指示灯にそれぞれ電気接続されているので、ファジィ制御器本体を観察や操作しやすい。本実用新案の空調システムファジィ制御器は構成が簡単で、使用が容易で、実用効果が優れている。
【図面の簡単な説明】
【００１０】
【図１】図１は、本実用新案の構造を示す図である。
【図２】図２は、本実用新案の構造を示す図１のＡ部分の拡大図である。
【考案を実施するための形態】
【００１１】
図１、図２に示すように、空調システムファジィ制御器は、組立箱1を含み、前記組立箱1の頂部にカバー板2が固定的に接続され、前記カバー板2の頂部にヒートシンク3が固定的に接続され、前記ヒートシンク3の頂部に放熱口4が開設され、前記ヒートシンク3の頂部に防塵網5が固定的に接続され、前記防塵網5の外面に貫通孔が開設され、前記貫通孔の直径が0.1cmであり、前記組立箱1の正面の一方側に表示板6が固定的に接続され、前記表示板6の正面の下側に指示灯7が固定的に接続され、前記表示板6の正面の上側に表示パネル8が固定的に接続され、前記組立箱1の内部にファジィ制御器本体11が取り付けられ、前記ファジィ制御器本体11が前記表示パネル8と前記指示灯7にそれぞれ電気接続され、かつ前記表示パネル8と前記指示灯7とが互いに電気接続され、前記組立箱1の正面の他方側にヒンジ9によりドア10が枢動的に接続され、ドア10の正面に開口が開設され、かつ前記開口の中に強化ガラスが固定的に接続され、ドア10の正面に取っ手12が固定的に接続され、かつ前記取っ手12に絶縁用ゴムスリーブが穿設されている。また組立箱1の底部が台座15に嵌入されることによって、組立箱1の固定を容易に行える。ヒンジ9により組立箱1の正面に枢動的に接続されたドア10、およびドア10の正面に取り付けられた取っ手12によって、ドア10を開いてドア10の裏のファジィ制御器本体11の検測やメンテナンスを行うようになって、操作が簡単で且つ速くて、メンテナンスを容易にさせる目的を達成する。前記組立箱1の底部が台座15に嵌入され、前記台座15の頂部の両側にそれぞれストッパ13が固定的に接続され、かつ前記ストッパ13の内側が前記組立箱1の外側に動き可能に接続され、前記組立箱1の一方側にラインチューブ14が固定的に接続され、前記ラインチューブ14の一端がストッパ13の外側から挿入して、前記台座15の底部に底板16が固定的に接続され、前記底板16の底部に滑り止めパターンが開設され、かつ前記滑り止めパターンはほぼ人字状に形成されている。前記カバー板2の頂部の前記ヒートシンク3によって、前記放熱口4を介して前記ファジィ制御器本体11を容易に放熱させることが可能であるとともに、前記防塵網5により埃の前記組立箱1内への侵入を抑制することができる。前記ファジィ制御器本体11が前記表示パネル8と前記指示灯7にそれぞれ電気接続されているので、ファジィ制御器本体11を観察や操作しやすい。本実用新案の空調システムファジィ制御器は構成が簡単で、使用が容易で、実用効果が優れている。
【００１２】
本願実用新案にかかる電気部品がすべて外部のメインコントローラ及び220Vの市電に電気接続されており、またメインコントローラはコンピュータなど制御機能として作用できる常用の既存設備を使用してもよい。
【符号の説明】
【００１３】
１  組立箱
２  カバー板
３  ヒートシンク
４  放熱口
５  防塵網
６  表示板
７  指示灯
８  表示パネル
９  ヒンジ  
１０  ドア
１１  ファジィ制御器本体
１２  取っ手
１３  ストッパ
１４  ラインチューブ
１５  台座
１６  底板
【図１】
0003218321.tif 000003
【図２】
0003218321.tif 000004